(57)【要約】【課題】第１ケース体と第２ケース体とを相対的にスライドさせることによりロックし封止するように構成された基板ケースの不正開封を防止する。【解決手段】第１，第２ケース体４１，４２により構成され且つ基板を収容可能な基板ケースと、第１，第２ケース体４１，４２を互いに封止可能な封止手段とを備え、基板ケースは、第１，第２ケース体４１，４２を基板の両面側から嵌め合わせた状態で基板に沿う方向に相対的にスライドさせることによりロック／アンロック状態を切り換え可能であり、封止手段は、ロック状態からアンロック状態側へのスライドを阻止するように構成された遊技機で、基板ケースのスライド方向の端部に装着され且つ第１，第２ケース体４１，４２の境界部を外側から覆う保護カバー４５を備えたものである。【選択図】図１１
2011147600.tif 000002
【特許請求の範囲】
【請求項１】
第１，第２ケース体（４１，４２）により構成され且つそれら第１，第２ケース体（４１，４２）の間に基板（２３）を収容可能な基板ケース（２４）と、この基板ケース（２４）を閉じた状態で前記第１，第２ケース体（４１，４２）を互いに封止可能な封止手段（４３）とを備え、前記基板ケース（２４）は、前記第１ケース体（４１）と前記第２ケース体（４２）とを前記基板（２３）の両面側から互いに嵌め合わせた状態で前記基板（２３）に沿う方向に相対的にスライドさせることにより、それら第１ケース体（４１）と第２ケース体（４２）とが互いに係合して閉状態で保持されるロック状態と、互いの係合が解除されて開放可能なアンロック状態とに切り換え可能に構成され、前記封止手段（４３）は、前記ロック状態から前記アンロック状態側へのスライドを阻止することにより、前記第１ケース体（４１）と前記第２ケース体（４２）とを閉状態で封止するように構成された遊技機において、前記基板ケース（２４）の前記スライド方向の端部に装着され且つ前記第１ケース体（４１）と前記第２ケース体（４２）との境界部を外側から覆う保護カバー（４５）を備えたことを特徴とする遊技機。
【請求項２】
前記保護カバー（４５）は、前記境界部を覆う隙間カバー部（１６２）と、前記封止手段（４３）を覆う封止カバー部（１６１）とを一体に備えたことを特徴とする請求項１に記載の遊技機。
【請求項３】
前記保護カバー（４５）は、前記基板ケース（２４）に対して複数種類の固定手段により固定可能に構成されていることを特徴とする請求項１又は２に記載の遊技機。
【請求項４】
前記複数の固定手段は、その固定を解除したことが痕跡として残る第１固定手段を含むことを特徴とする請求項３に記載の遊技機。
【請求項５】
前記第１固定手段は、前記基板ケース（２４）側又は前記保護カバー（４５）側に低強度部（１７５ａ）を介して一体に設けられ且つ前記保護カバー（４５）側又は前記基板ケース（２４）側の被係合部に対して外部からの解除操作が不可能な状態で係合する係合手段（１６５）を備えた係合固定手段を含むことを特徴とする請求項４に記載の遊技機。
【請求項６】
前記第１固定手段は、前記基板ケース（２４）側又は前記保護カバー（４５）側に一体に設けられた溶着固定座（１６３）と、前記保護カバー（４５）側又は前記基板ケース（２４）側に一体に設けられ且つ前記溶着固定座（１６３）に対して溶着固定されるカシメピン（７５，７６）とを備えた溶着固定手段を含むことを特徴とする請求項４又は５に記載の遊技機。
【請求項７】
前記溶着固定座（１６３）は、前記基板ケース（２４）又は前記保護カバー（４５）に対して低強度部（１７１）を介して一体に接続されていることを特徴とする請求項６に記載の遊技機。
【請求項８】
両端側の固定部（１４１，１４２）を前記第１，第２ケース体（４１，４２）に夫々着脱不能に固定することにより、前記第１ケース体（４１）と前記第２ケース体（４２）とを開閉可能な状態で連結する連結部材（４４）を備え、前記溶着固定座（１６３）と前記固定部とを共通の前記カシメピン（７６）により一体的に溶着固定したことを特徴とする請求項６又は７に記載の遊技機。
【請求項９】
前記複数の固定手段は、その固定を解除したことが痕跡として残らない第２固定手段を含むことを特徴とする請求項３〜８の何れかに記載の遊技機。
【請求項１０】
前記第２固定手段は、固定ねじ（１７９）によるねじ止め固定手段を含むことを特徴とする請求項９に記載の遊技機。
【発明の詳細な説明】
【技術分野】
【０００１】
本発明は、閉状態で封止可能な基板ケースを備えたパチンコ機、スロットマシン等の遊技機に関するものである。
【背景技術】
【０００２】
パチンコ機等の遊技機では、各種制御基板等が基板ケースに格納された状態で本体裏側等に装着されている。一般的な基板ケースは、第１ケース体と第２ケース体とを開閉可能に嵌め合わせることにより略箱形となるように構成されており、更に不正防止のため、第１ケース体と第２ケース体とを閉状態で封止でき、開封した場合にはその痕跡が残るようになったものも存在する。
【０００３】
この種の基板ケースの中には、特許文献１に記載されているように、第１ケース体と第２ケース体とを基板の両面側から互いに嵌め合わせたアンロック状態から、更に基板に沿う方向に相対的にスライドさせることにより、互いに係合して閉状態で保持されるロック状態となるように構成されると共に、ロック状態からアンロック状態側へのスライドを阻止することにより閉状態で封止する封止手段を備えたものが存在する。
【先行技術文献】
【特許文献】
【０００４】
【特許文献１】特開２００９−１５３５８５号公報
【発明の概要】
【発明が解決しようとする課題】
【０００５】
この特許文献１に記載されたような基板ケースでは、第１ケース体と第２ケース体とを基板に沿う方向に相対的にスライドさせることによりアンロック状態からロック状態に切り換えるようになっているため、特にスライド方向の両端部では、第１ケース体と第２ケース体とを密閉することが難しく、それらの境界部をこじ開けて強引に隙間を形成し、内側の封止手段を痕跡が残らないように取り外して開封するような不正行為が行われる可能性を否定できない。
【０００６】
本発明は、上記事情に鑑みてなされたものであり、その目的とするところは、第１ケース体と第２ケース体とを相対的にスライドさせることによりロックし封止するように構成された基板ケースの不正開封を効果的に防止できる遊技機を提供することにある。
【課題を解決するための手段】
【０００７】
本発明は、第１，第２ケース体４１，４２により構成され且つそれら第１，第２ケース体４１，４２の間に基板２３を収容可能な基板ケース２４と、この基板ケース２４を閉じた状態で前記第１，第２ケース体４１，４２を互いに封止可能な封止手段４３とを備え、前記基板ケース２４は、前記第１ケース体４１と前記第２ケース体４２とを前記基板２３の両面側から互いに嵌め合わせた状態で前記基板２３に沿う方向に相対的にスライドさせることにより、それら第１ケース体４１と第２ケース体４２とが互いに係合して閉状態で保持されるロック状態と、互いの係合が解除されて開放可能なアンロック状態とに切り換え可能に構成され、前記封止手段４３は、前記ロック状態から前記アンロック状態側へのスライドを阻止することにより、前記第１ケース体４１と前記第２ケース体４２とを閉状態で封止するように構成された遊技機において、前記基板ケース２４の前記スライド方向の端部に装着され且つ前記第１ケース体４１と前記第２ケース体４２との境界部を外側から覆う保護カバー４５を備えたものである。
【発明の効果】
【０００８】
本発明によれば、第１ケース体４１と第２ケース体４２との境界部をこじ開けて強引に隙間を形成し、内側の封止手段４３を痕跡が残らないように取り外して開封するような不正行為を効果的に防止できる。
【図面の簡単な説明】
【０００９】
【図１】本発明の第１の実施形態を示すパチンコ機の全体正面図である。
【図２】同じく遊技盤の背面図である。
【図３】同じく集球ケース及び主基板ケースの分解斜視図である。
【図４】同じく第２ケース体の背面図である。
【図５】同じく第１ケース体の背面図である。
【図６】同じく第２ケース体及び第１ケース体の要部拡大背面図である。
【図７】同じく第２ケース体及び第１ケース体の要部拡大斜視図である。
【図８】同じく連結部材の斜視図である。
【図９】同じく主基板ケースの結合・封止手順を示す説明図である。
【図１０】同じく保護カバーの背面図及び側面断面図である。
【図１１】同じく主基板ケースと保護カバーの斜視図である。
【図１２】同じく主基板ケースと保護カバーの要部破断斜視図である。
【図１３】同じく保護カバーを装着した主基板ケースの側面断面図である。
【図１４】同じく保護カバーを装着した主基板ケースの側面断面図である。
【図１５】同じく保護カバーを装着した主基板ケースの平面断面図である。
【図１６】同じく主基板ケースからの保護カバーの取り外し手順を示す説明図である。
【図１７】同じく主基板ケースの開封手順を示す説明図である。
【図１８】本発明の第２の実施形態を示す主基板ケースと保護カバーの要部破断斜視図である。
【図１９】同じく保護カバーを装着した主基板ケースの斜視図である。
【発明を実施するための形態】
【００１０】
以下、本発明の実施形態を図面に基づいて詳述する。図１〜図１７は本発明をパチンコ機に採用した第１の実施形態を例示している。なお、以下の説明における上下左右の方向については、特に基準を示さない限り遊技機本体を前側から見た場合の上下左右をいうものとする。
【００１１】
図１において、１は遊技機本体で、矩形状の外枠２と、この外枠２の前側に開閉自在に枢着された前枠３とを備えている。前枠３は左端側の上下一対のヒンジ４を介して外枠２に着脱及び開閉自在に装着されている。前枠３の上部側には遊技盤５が例えば前側から着脱自在に装着されると共に、遊技盤５の前側にガラス扉６が、ガラス扉６の下側に隣接して前面開閉板７が夫々配置されている。ガラス扉６、前面開閉板７はヒンジ４と同一側のヒンジにより前枠３に開閉自在に枢支されている。前面開閉板７には、その前側に、発射手段８に供給するための遊技球を貯留する貯留皿９、発射手段８を作動させるための発射ハンドル１０等が設けられている。
【００１２】
遊技盤５の前側には、発射手段８により発射された遊技球を案内するガイドレール１１が環状に装着されると共に、そのガイドレール１１内の遊技領域１２には、画像表示手段１３を備えたセンターケース１４の他、通過ゲート１５、開閉式入賞手段１６、大入賞手段１７、普通入賞手段１８等の各種遊技部品が装着されている。
【００１３】
また、遊技盤５の裏側には、図２に示すように、センターケース１４等の遊技部品を後側から覆う裏カバー２１と集球ケース２２とが上下に配置され、例えば集球ケース２２の背面側に主制御基板２３が格納された主基板ケース２４が、裏カバー２１の背面側に演出制御基板２５が格納された演出基板ケース２６、液晶制御基板２７が格納された液晶基板ケース２８が夫々着脱自在に装着されている。集球ケース２２は、開閉式入賞手段１６、大入賞手段１７、普通入賞手段１８等に入賞して遊技盤５の裏側に案内された遊技球を集めて排出口２９から回収通路（図示省略）側へと案内するためのもので、図３に示すように上面側と前面側とが開放した略箱形に形成されており、裏カバー２１の下側に近接して配置され、遊技盤５の裏側に着脱自在に固定されている。
【００１４】
集球ケース２２の背面側には、例えばその略中央に主基板ケース２４を着脱自在に装着可能な主基板ケース装着部３１が設けられ、また例えばその主基板ケース装着部３１の一側には、遊技盤５を前枠３側に装着したときに前枠３側のコネクタ（図示省略）に直接結合される遊技盤側コネクタ３２が複数配置されている。主基板ケース装着部３１は、集球ケース２２の背面側に設けられた装着開口部３３と、その装着開口部３３の上下両縁側に沿って配置される装着レール３４と、主基板ケース２４の一端側、例えば左端側を保持する第１保持手段３５と、この第１保持手段３５により一端側が保持された主基板ケース２４の他端側を解除可能に保持する締結つまみ等よりなる第２保持手段３６とを備えている。
【００１５】
この主基板ケース装着部３１に装着される主基板ケース２４は、全体として扁平な略矩形状であって、図３に示すように、互いに嵌め合わせ可能な第１ケース体４１と第２ケース体４２とを備えると共に、その外周側の一辺、例えば左端側に沿って封止手段４３が設けられている。また、主基板ケース２４には、第１ケース体４１と第２ケース体４２とを開閉可能な状態で連結する連結部材４４、封止手段４３の近傍を覆う保護カバー４５等が装着されている。そして、主基板ケース２４内の空間は、図４，図５等に示すように、封止手段４３に対応する封止領域２４ｂと、それ以外の基板格納領域２４ａとに区分されており、その基板格納領域２４ａ内に主制御基板２３が格納されている。
【００１６】
主制御基板２３は矩形状であって、その一面側には、中央寄りの部分にＣＰＵ，ＲＯＭ，ＲＡＭ等の電子部品４６が配置され、また外縁部近傍には複数のコネクタ４７が配置されると共に位置決め孔４８及び固定孔４９（図３）が形成されている。
【００１７】
第２ケース体４２は、例えば透明な合成樹脂製で、図３，図４，図６，図７等に示すように、主制御基板２３の電子部品装着面２３ａ側に対向する上壁５１と、その上壁５１の三辺、例えば上下辺及び右辺に沿って主制御基板２３の裏面２３ｂ側に向けて延設された周壁５２〜５４とを一体に備え、主制御基板２３の裏面２３ｂ側に対応する面、及び外周側の残りの一方側、即ち左側の面はその略全面が開放されて開口５５，５６を形成している。
【００１８】
そして、上壁５１の内面側には、例えば左側の開口５６から所定距離内側（右周壁５４側）の位置に仕切り壁５７（図４，図７等）が右周壁５４と略平行に配置されている。この仕切り壁５７は、主基板ケース２４内の空間を封止領域２４ｂと基板格納領域２４ａとに仕切るもので、周壁５２〜５４と仕切り壁５７とで取り囲まれた領域が基板格納領域２４ａ、仕切り壁５７よりも開口５６側の領域が封止領域２４ｂとなっている。
【００１９】
上壁５１のうち、基板格納領域２４ａに対応する基板側上壁５１ａには、その内部に配置される主制御基板２３との間に電子部品４６の収容空間を確保できるように外向きに膨出する膨出部６１が形成されると共に、例えば周壁５２〜５４に沿って膨出部６１よりも低い段部６２が１又は複数形成されている。段部６２には、主制御基板２３側のコネクタ４７が内側から嵌合するコネクタ嵌合孔６３が夫々１又は複数設けられている。主制御基板２３は、電子部品装着面２３ａを上壁５１側に向けた状態で第２ケース体４２の基板格納領域２４ａ内に嵌め込まれ、ねじ止め等により固定されている。
【００２０】
上壁５１のうち、封止領域２４ｂに対応する封止側上壁５１ｂは、例えば基板側上壁５１ａとの境界部に沿って基板側上壁５１ａ側の段部６２と略同じ高さに配置される底板６６と、この底板６６に対する開口５６側で且つ底板６６よりも高い位置に設けられた台板６７とを備え、それら底板６６と台板６７との間はそれら底板６６と台板６７とに略垂直な起立板６８で連結されている。
【００２１】
台板６７の外面側には、外周に沿って囲いリブ７１が外向きに所定高さで突設され、その囲いリブ７１の内側は、例えば長手方向（上下の周壁５２，５３に垂直な方向）の中央部が連結部材４４の端部を固定するための連結固定ベース部７２、長手方向の両端部が保護カバー４５を固定するための保護カバー固定ベース部７３となっており、それら連結固定ベース部７２と保護カバー固定ベース部７３とを区分する区分壁７４が例えば囲いリブ７１と同じ高さで突設されている。連結固定ベース部７２には、複数のカシメピン７５が台板６７から一体に突設されている。また、保護カバー固定ベース部７３には、１又は複数、例えば１つのカシメピン７６と、１又は複数、例えば１つのねじ止め基部７７とが台板６７から一体に突設されている。
【００２２】
また、上下の周壁５２，５３には、封止領域２４ｂ側端部、即ち左端部に台板６７と略平行に突出する一対の係合突部７８（図３，図７等）が設けられ、また基板格納領域２４ａに対応する外面側には外向き突出状の係合爪７９が、開口５５側の縁部に沿って間欠的に複数設けられている。
【００２３】
第１ケース体４１は、例えば透明な合成樹脂製で、図３，図５〜図７等に示すように、第２ケース体４２の開口５５に対応する底壁８１と、第２ケース体４２の開口５６に対応して底壁８１の一辺、即ち左辺から第２ケース体４２側に立設される側壁８２と、底壁８１の他の三辺、即ち上辺，下辺及び右辺に沿って第２ケース体４２側に立設される嵌合壁８３〜８５とを一体に備えており、第２ケース体４２に向かい合わせに嵌め合わせたとき、底壁８１，側壁８２が夫々第２ケース体４２側の開口５５，５６を夫々略閉鎖すると共に、嵌合壁８３〜８５が夫々第２ケース体４２側の周壁５２〜５４の外面側に嵌合するようになっている。
【００２４】
また、底壁８１には、第２ケース体４２側の上下の周壁５２，５３の内面側に沿う一対の案内壁８６，８７が、側壁８２の内面側から嵌合壁８５側に向けて上下の嵌合壁８３，８４の内側に平行に配置されている。これら案内壁８６，８７と嵌合壁８３，８４との間は、第２ケース体４２側の周壁５２，５３が摺動自在に嵌合する案内溝８８，８９となっている。
【００２５】
また、上下の嵌合壁８３，８４には、第２ケース体４２の係合爪７９が夫々係脱自在に係合可能な被係合部９０が設けられている。この被係合部９０は、第２ケース体４２側の係合爪７９が夫々嵌脱自在に嵌合する複数の切り欠き部９１と、案内溝８８，８９に沿ってこれら切り欠き部９１に対して例えば封止領域２４ｂとは反対側（右側）に隣接して設けられ且つ係合爪７９が夫々係合する係止部９２とで構成されており、係合爪７９を夫々切り欠き部９１に嵌合させるように第２ケース体４２を第１ケース体４１に嵌め合わせ  （アンロック状態）、第２ケース体４２を第１ケース体４１に対して封止領域２４ｂとは反対側（右側）に向けて相対的にスライドさせたとき（以下、この方向をスライド方向という）、係合爪７９が係止部９２に夫々係合して、第１ケース体４１と第２ケース体４２とが互いに結合状態でロックされる（ロック状態）ようになっている。
【００２６】
側壁８２には、その両端側に第２ケース体４２側の係合突部７８に対応する一対の被係合穴９３（図７等）が形成されており、第１ケース体４１と第２ケース体４２とをアンロック状態に嵌め合わせる前に、第２ケース体４２側の係合突部７８を被係合穴９３に差し込むことにより、係合突部７８が被係合穴９３に係合して第１，第２ケース体４１，４２の開方向への移動を阻止するようになっている。
【００２７】
また、側壁８２の外面側には、図５〜図７等に示すように、連結部材４４の端部を固定するための連結固定ベース部９４が設けられている。この連結固定ベース部９４は、側壁８２から所定高さで突設された囲いリブ９５で囲まれており、側壁８２から略垂直に突設される一又は複数、例えば２本のカシメピン９６が設けられている。更に第１ケース体４１の外周部には、主基板ケース装着部３１の第２保持手段３６が係脱自在に係合する被係合部９７が外向きに一体形成されている。
【００２８】
封止手段４３は、主基板ケース２４の封止領域２４ｂに対応して、第２ケース体４２の開口５６及び第１ケース体４１の側壁８２に沿って例えば一列状に複数組（ここでは２組）配置されている。各封止手段４３は、図３〜図７等に示すように、第１ケース体４１側の被結合部１０１と、第２ケース体４２側の封止部材１０２及び開封障害部１０３とで構成されている。被結合部１０１は、第１ケース体４１側の側壁８２の内面側に突設された嵌合支持部１０４上に設けられている。嵌合支持部１０４は、底壁８１に平行な板状で、底壁８１との間に所定距離をおいて側壁８２の内側、即ち封止領域２４ｂ側に張り出すように一体に形成されており、側壁８２に沿って複数（ここでは２つ）の被結合部１０１が設けられている。
【００２９】
各被結合部１０１は、例えばスライド方向に形成された１つの挿通スリット１０５と、この挿通スリット１０５の両側に平行に配置された一対の逃げ用スリット１０６と、それら挿通スリット１０５と逃げ用スリット１０６との間に形成された一対の弾性係合部１０７とを備えている。挿通スリット１０５には、封止部材１０２の結合部１２３に対応してその略中央に拡幅部１０５ａが形成されている。
【００３０】
また、嵌合支持部１０４の第２ケース体４２側の面（以下、表面１０４ａとする）には、各被結合部１０１に対してその配列方向の両側、即ち逃げ用スリット１０６の外側に互いに平行な一対の案内板１０８，１０８が第２ケース体４２の台板６７側に向けて立設されている。また、案内板１０８とその内側の逃げ用スリット１０６との間の嵌合支持部１０４上には、封止部材１０２の嵌合突部１２７に対応する嵌合孔１０９ａと、その嵌合孔１０９ａの側壁８２側に設けられ且つ表面１０４ａ側に突出する規制部１０９ｂとが設けられている。なお、嵌合支持部１０４と底壁８１との間には、それらを接続する補強リブ１１０が、被結合部１０１を避けた位置に複数設けられている（図７，図１４等）。
【００３１】
封止部材１０２及び開封障害部１０３は、図６，図７等に示すように、封止領域２４ｂに対応して第２ケース体４２に形成された封止用開口部１１１内に配置されている。封止用開口部１１１は、第１ケース体４１側の被結合部１０１に対応して複数（ここでは２つ）設けられており、夫々台板６７から起立板６８を経て底板６６に達する開口状に形成されている。
【００３２】
封止部材１０２は、断面矩形状の軸部１２１と、この軸部１２１の一端側に設けられた鍔部１２２と、軸部１２１の他端側に設けられた台形状の結合部１２３と、鍔部１２２から上側に突出する被押圧部１２４とを備え、封止用開口部１１１のうち、台板６７に形成された台板開口部１１１ａ内に配置され、損壊容易な１又は複数の保持部１２５を介して第２ケース体４２に一体成形されており、主基板ケース２４を封止する際に被押圧部１２４が押圧されると、それによって保持部１２５が損壊して第２ケース体４２側から切り離され、第１ケース体４１側の被結合部１０１に離脱不能に結合するようになっている。鍔部１２２は、例えば略矩形状に形成されており、台板開口部１１１ａを略塞ぐように台板開口部１１１ａ内に配置され、スライド方向に対する左右の両縁部１２２ａ，１２２ｂと、それらの外側に対向する台板開口部１１１ａ側の縁部との間が、例えば夫々２箇所に設けられた保持部１２５により連結されている。
【００３３】
鍔部１２２には、スライド方向に対する左右の両縁部１２２ａ，１２２ｂと、スライド方向のロック状態側（基板格納領域２４ａ側）の縁部１２２ｃとに沿って側壁１２６ａ，１２６ｂと前壁１２６ｃとが被結合部１０１側に向けて突設されている。また、側壁１２６ａ，１２６ｂには、例えばその開口５６側端部に嵌合突部１２７が設けられている。側壁１２６ａ，１２６ｂは、その外面側が被結合部１０１側の案内板１０８に、開口５６側の縁部が被結合部１０１側の規制部１０９ｂに夫々沿うように形成されており、封止部材１０２が被結合部１０１側に押し込まれたとき、側壁１２６ａ，１２６ｂが案内板１０８と規制部１０９ｂとに沿って摺動することにより被結合部１０１側に案内され、嵌合突部１２７が嵌合支持部１０４上の嵌合孔１０９ａに嵌合するようになっている。
【００３４】
なお、規制部１０９ｂは、鍔部１２２が保持部１２５により第２ケース体４２側に連結されている状態では側壁１２６ａ，１２６ｂ及び嵌合突部１２７に到達しない長さに設けられ（図９（ｃ））、第１ケース体４１に対して第２ケース体４２をスライドさせる際に側壁１２６ａ，１２６ｂ及び嵌合突部１２７が規制部１０９ｂと干渉しないようになっている。
【００３５】
軸部１２１は、鍔部１２２の中心部から被結合部１０１側に向けて突設され、例えばスライド方向に対する左右方向に偏平な断面矩形状に形成されており、その幅は被結合部１０１側の拡幅部１０５ａの内幅と略同じか若干小さく形成されている。結合部１２３は、鍔部１２２が保持部１２５により第２ケース体４２側に連結されている状態ではその先端側が被結合部１０１に到達せず（図９（ｃ），図１４等）、封止部材１０２が被結合部１０１側に押し込まれて第２ケース体４２側から切り離され、鍔部１２２の側壁１２６ａ，１２６ｂ等が嵌合支持部１０４の表面１０４ａに当接したとき、被結合部１０１の挿通スリット１０５を貫通してその裏側に離脱不能に係合するようになっている（図９（ｄ），図１４等）。
【００３６】
被押圧部１２４は、封止部材１０２を被結合部１０１側に向けて押圧する際にその押圧操作を受ける部分であって、鍔部１２２の中心部から外向き突出状に設けられており、その中央に凹部１２４ａが形成されている。封止部材１０２を被結合部１０１側に向けて押圧する際には、この凹部１２４ａにドライバー等の先端部を押し当てることにより容易に押圧操作可能である。なお、連結固定ベース部７２を構成する複数のカシメピン７５は、全ての封止部材１０２に対してその配列方向の両側に夫々配置されるように、封止部材１０２の配列方向の両端側と、隣接する封止部材１０２間とに各一本ずつ設けられている。
【００３７】
開封障害部１０３は、封止用開口部１１１のうち、起立板６８に形成された起立板開口部１１１ｂから底板６６に形成された底板開口部１１１ｃにかけてその内側に配置され、損壊容易な第１，第２損壊部１３１，１３２を介して第２ケース体４２に一体成形されており、封止部材１０２が第２ケース体４２から切り離されて第１ケース体４１側に結合したとき、その封止部材１０２のスライド方向ロック側に当接又は略当接するようになっている。
【００３８】
開封障害部１０３は、図６，図７等に示すように、例えば封止部材１０２に対するスライド方向ロック側に立設された支持板１３３と、この支持板１３３から封止部材１０２側に突設された当接部１３４とを備えている。支持板１３３は、起立板開口部１１１ｂを略塞ぐように起立板６８と同一平面上に配置され、内側端部が嵌合支持部１０４の表面１０４ａに当接又は近接しており、その内側端部近傍に当接部１３４が設けられている。当接部１３４は、封止部材１０２が保持部１２５により第２ケース体４２側に連結されている状態では封止部材１０２から離間しており（図９（ｃ））、封止部材１０２が第２ケース体４２から切り離されて第１ケース体４１側に結合したとき（図９（ｄ））、その封止部材１０２の前壁１２６ｃの外面側に当接又は近接するようになっている。
【００３９】
第１損壊部１３１は、図６，図１２等に示すように、支持板１３３の外側端部におけるスライド方向左右両側と封止用開口部１１１の縁部又はその近傍、例えば台板６７側の囲いリブ７１との間を夫々連結するように設けられ、主基板ケース２４の外側からニッパー等により容易に損壊可能となっている。また、第２損壊部１３２は、図６，図７等に示すように、支持板１３３の内側端部と、底板開口部１１１ｃの縁部又はその近傍、例えば底板６６及び仕切り壁５７との間を、底板開口部１１１ｃ内をスライド方向に横切って連結するように設けられ、例えばその外側縁部が底板６６と略面一で、内側縁部が嵌合支持部１０４の表面１０４ａに当接又は近接する内外方向幅広状に形成されており、主基板ケース２４の外側からニッパー等により損壊可能となっている。なお、この第２損壊部１３２は、底板６６とその両側に立設された起立板６８及び膨出部６１の側壁６１ａとで構成される内向きの凹部１３５内に配置されているため、第１損壊部１３１に比べると損壊操作が若干困難となっている。
【００４０】
連結部材４４は、第１ケース体４１と第２ケース体４２とを開閉可能な状態で接続するためのもので、図８等に示すように、第１ケース体４１側の連結固定ベース部９４に着脱不能に固定される第１固定部１４１と、第２ケース体４２側の連結固定ベース部７２に着脱不能に固定される第２固定部１４２と、これら第１固定部１４１と第２固定部１４２との間を連結する連結帯１４３とを備え、例えば合成樹脂により一体成形されている。
【００４１】
第１固定部１４１は、連結固定ベース部９４側のカシメピン９６に対応する例えば２つの固定座１４４と、これら固定座１４４を保持すると共に連結帯１４３の一端側が連結される固定フレーム部１４５とで構成されており、固定座１４４には夫々カシメピン９６用の挿通孔１４６が形成されている。また、第２固定部１４２は、連結固定ベース部７２側のカシメピン７５に対応する例えば３つの固定座１４７と、これら固定座１４７を保持すると共に連結帯１４３の一端側が連結される固定フレーム部１４８とで構成されており、固定座１４７には夫々カシメピン７５用の挿通孔１４９が形成されている。
【００４２】
固定フレーム部１４８は、連結固定ベース部７２側の囲いリブ７１の内側に沿って例えば全ての固定座１４７を取り囲むように配置される周壁部１５１と、各固定座１４７と周壁部１５１とを一体に連結する封止カバー部１５２とで構成されている。封止カバー部１５２は、周壁部１５１の内周側と各固定座１４７の外周側とをそれらの一端側において一体に連結する板状に形成されている。なお、この封止カバー部１５２には、各固定座１４７の外周に沿って、例えばスリット１５３ａが間欠的に配置されたミシン目状の低強度部１５３が設けられると共に、各封止部材１０２の被押圧部１２４に対応して複数の操作孔１５４が設けられている。また、第２固定部１４２の外周部には、第１損壊部１３１に対応する位置に、例えば固定フレーム部１４８の周壁部１５１から封止カバー部１５２にわたる損壊用切欠部１５５が形成されている。
【００４３】
連結帯１４３は、例えば十分な可撓性を有する平板状で、第１固定部１４１側の固定フレーム部１４５と第２固定部１４２側の固定フレーム部１４８とを一体に連結しており、第１ケース体４１と第２ケース体４２とを通常の手順で開閉する際に支障がない範囲でなるべく短く形成されている。この連結帯１４３には、その長手方向の１又は複数箇所に、例えばスリット１５６ａが間欠的に配置されたミシン目状の低強度部１５６が設けられている。
【００４４】
この連結部材４４の第１固定部１４１及び第２固定部１４２は、夫々カシメピン９６，７５を固定座１４４，１４７の挿通孔１４６，１４９に挿通させつつ連結固定ベース部９４，７２に装着され、その状態でカシメピン９６，７５の先端側が熱カシメ具により押し潰されることにより連結固定ベース部９４，７２に離脱不能に固定される（図１４等）。これにより、第１ケース体４１と第２ケース体４２とが分離不能に連結されると共に、第２ケース体４２側の封止部材１０２は、図９（ｃ），（ｄ），図１４等に示すように、被押圧部１２４を除く略全体が連結部材４４側の第２固定部１４２により外側から覆われた状態となる。
【００４５】
主基板ケース２４を組み立てる際には、上述した方法で予め第１ケース体４１と第２ケース体４２とを連結部材４４で連結しておく。そして、まず第２ケース体４２の内側に主制御基板２３を装着、固定し、その第２ケース体４２の一対の係合突部７８を第１ケース体４１の案内溝８８，８９に沿って被係合穴９３に差し込んだ後、第２ケース体４２の係合爪７９を第１ケース体４１の切り欠き部９１に嵌合させてアンロック状態に嵌め合わせる（図９（ａ）→（ｂ））。このとき、第２ケース体４２側の封止部材１０２は、第１ケース体４１側の被結合部１０１に対してスライド方向にずれた位置にあり、第２ケース体４２側の台板６７はその開口５６側縁部が第１ケース体４１側の側壁８２よりも外側に突出している。
【００４６】
次に、第２ケース体４２と第１ケース体４１とを互いに相対的にスライドさせて、第２ケース体４２側の係合爪７９を第１ケース体４１側の係止部９２に係合させ、第１ケース体４１と第２ケース体４２とを結合状態でロックする（図９（ｂ）→図９（ｃ））。これにより、第２ケース体４２側の封止部材１０２は第１ケース体４１側の被結合部１０１と内外方向に合致し、また第２ケース体４２側の台板６７はその開口５６側縁部が第１ケース体４１側の側壁８２とスライド方向に略一致した状態となる。
【００４７】
続いて、複数（２組）の封止手段４３のうちの１つを用いて主基板ケース２４を封止する。即ち、ドライバー等の工具の先端を、封止カバー部１５２の外側から操作孔１５４を介して封止部材１０２の被押圧部１２４の凹部１２４ａに当て、内側、即ち第１ケース体４１側に押圧する。これにより、保持部１２５が損壊してその封止部材１０２が第２ケース体４２から切り離されると共に、その封止部材１０２の先端側の結合部１２３が弾性係合部１０７を両側に押し広げながら挿通スリット１０５内に嵌合する。そして、封止部材１０２の鍔部１２２が嵌合支持部１０４の表面１０４ａに当接したとき、結合部１２３が挿通スリット１０５を貫通して弾性係合部１０７の裏側に係合し、その封止部材１０２は第２ケース体４２から完全に独立した状態で第１ケース体４１側に離脱不能に結合した状態となる（図９（ｄ））。
【００４８】
このとき、その封止部材１０２に対応する開封障害部１０３の当接部１３４が、その封止部材１０２のスライド方向ロック側に当接又は近接した状態となるため、第２ケース体４２と第１ケース体４１とを開方向、即ちアンロック状態側に相対的にスライドさせようとしても、第１ケース体４１側に結合している封止部材１０２が、当接部１３４を介して第２ケース体４２の開方向への相対移動を阻止するため、そのままでは主基板ケース２４を開封することはできない。
【００４９】
保護カバー４５は、以上のような手順で封止された主基板ケース２４に装着されて封止手段４３及びその近傍を外側から覆うもので、図１０〜図１５等に示すように、第２ケース体４２の封止側上壁５１ｂに沿って封止手段４３の封止部材１０２及び開封障害部１０３を略覆う封止カバー部１６１と、主基板ケース２４における封止手段４３側のスライド方向端面に沿って第１ケース体４１と第２ケース体４２との境界部を覆う隙間カバー部１６２と、保護カバー固定ベース部７３上のカシメピン７６に対応する溶着固定座１６３と、同じく保護カバー固定ベース部７３上のねじ止め基部７７に対応するねじ止め固定座１６４と、主基板ケース２４に圧入により固定するための圧入係合手段１６５とを一体に備えている。
【００５０】
また、封止カバー部１６１は、第２ケース体４２の台板６７の外面に対して略平行に設けられ且つ連結部材４４の第２固定部１４２の外側から台板開口部１１１ａ及びその内側の封止部材１０２を覆う台板カバー板１６６と、この台板カバー板１６６に対するスライド方向の一端側に設けられ且つ凹部１３５に嵌合する凹部嵌合部１６７と、それら台板カバー板１６６と凹部嵌合部１６７との両端側に設けられる一対の側板１６８と、例えば台板カバー板１６６から凹部嵌合部１６７にかけて外面側に突設される補強リブ１６９等を備えている。
【００５１】
台板カバー板１６６は、当該保護カバー４５を主基板ケース２４に装着したときに台板６７上の囲いリブ７１の端縁に略当接してその内側を略閉鎖するようになっており（図１４）、また例えばその両端部近傍に、溶着固定座１６３とねじ止め固定座１６４とが設けられている。溶着固定座１６３は、主基板ケース２４側のカシメピン７６と共に溶着固定手段（固定を解除したことが痕跡として残る第１固定手段の一例）を構成するもので、例えば略円形に形成されており、その中心部にカシメピン７６用のピン挿通孔１６３ａが形成されている。また、台板カバー板１６６上には、溶着固定座１６３の外周に沿って、例えばスリット１７１ａが間欠的に配置されたミシン目状の低強度部１７１が設けられている。ねじ止め固定座１６４は、ねじ止め固定手段（固定を解除したことが痕跡として残らない第２固定手段の一例）を構成する固定ねじ１７９によって保護カバー固定ベース部７３側に固定されるもので、例えば略円形に形成されており、その中心部にねじ挿通孔１６４ａが形成されている。
【００５２】
凹部嵌合部１６７は、第２ケース体４２の凹部１３５を構成している底板６６、起立板６８及び膨出部６１の側壁６１ａの各外面に沿うように設けられた底カバー板１７２、内側面カバー板１７３、外側面カバー板１７４を備えており、内側面カバー板１７３が起立板６８上の起立板開口部１１１ｂを外側から覆っている。
【００５３】
また、底カバー板１７２上には、底板６６上の底板開口部１１１ｃに対応して圧入係合手段１６５が一体に設けられている。この圧入係合手段（係合手段）１６５は、主基板ケース２４に対して外部からの解除操作が不可能な状態で係合する係合固定手段（固定を解除したことが痕跡として残る第１固定手段の一例）を構成するもので、例えば底カバー板１７２から底板開口部１１１ｃ内に向けて略垂直に突設される支持軸部１６５ａと、この支持軸部１６５ａの先端側に一体に設けられ且つスライド方向と直交する側にＪ字状に屈曲された爪部１６５ｂとで弾性変形可能に構成され、各底板開口部１１１ｃに対して夫々一対の圧入係合手段１６５が背中合わせの状態で配置されている。ここで、１つの底板開口部１１１ｃに対応する一対の圧入係合手段１６５は、互いに反対側に開いた一対の爪部１６５ｂの開き幅が底板開口部１１１ｃの開口幅よりも大きく、保護カバー４５を主基板ケース２４に装着する際には、それら一対の爪部１６５ｂが圧縮された状態で底板開口部１１１ｃを通過した後、再び拡幅してその先端部が底板６６の裏側に係合するようになっている。
【００５４】
なお、圧入係合手段１６５は、低強度部１７５ａを介して底カバー板１７２に一体に連結されており、この低強度部１７５ａを損壊することにより保護カバー４５から容易に分離可能となっている。即ち、底カバー板１７２には、底板開口部１１１ｃに対応する位置に夫々開口部１７６（図１０）が形成されており、各圧入係合手段１６５は、支持軸部１６５ａの端部近傍の一箇所で低強度部１７５ａにより開口部１７６の縁部に一体に連結されている。低強度部１７５ａは、例えばその一面側に断面Ｖ字状の切り込み溝が形成されて板厚が局所的に小さくなっている。また、圧入係合手段１６５上の任意箇所、例えば爪部１６５ｂ上にも、断面Ｖ字状の切り込み溝が形成された低強度部１７５ｂが形成されており、少し大きな力を加えると簡単に損壊するようになっている。
【００５５】
隙間カバー部１６２は、第２ケース体４２の台板６７と第１ケース体４１の側壁８２との境界部を覆うもので（図１５）、台板カバー板１６６の開口５６側縁部から第２ケース体４２の台板６７の縁部及び第１ケース体４１の側壁８２の外面側に沿って前向きに延設されている。隙間カバー部１６２には、連結固定ベース部９４が嵌合する膨出部１７７が外向きに設けられると共に、外周部を含む所定箇所に補強リブ１７８が外向きに突設されている。
【００５６】
この保護カバー４５を主基板ケース２４に装着する際には、まず保護カバー４５を主基板ケース２４の封止領域２４ｂに被せ、保護カバー４５側の圧入係合手段１６５を第２ケース体４２の底板開口部１１１ｃ内に圧入して底板６６の裏側に係合させる（図１３）。そして更に、保護カバー固定ベース部７３上のカシメピン７６を熱カシメ具により押し潰すことにより保護カバー４５上の溶着固定座１６３に離脱不能に結合させ、また固定ねじ１７９を保護カバー４５上のねじ挿通孔１６４ａを介して保護カバー固定ベース部７３上のねじ止め固定座１６４にねじ込み、固定する（図１４）。
【００５７】
これにより、封止手段４３の封止部材１０２及び開封障害部１０３の他、第２ケース体４２の台板６７と第１ケース体４１の側壁８２との境界部が保護カバー４５により外側から覆われるため（図１４，図１５）、開封障害部１０３を除去することにより行う正規の開封作業の他、例えば第２ケース体４２の台板６７と第１ケース体４１の側壁８２との境界部分をこじ開けて強引に隙間を作り、封止部材１０２の被結合部１０１への係合を解除することにより行う不正な開封作業についても、保護カバー４５が取り付けられた状態のままでは行うことができない。
【００５８】
保護カバー４５が取り付けられた主基板ケース２４は、各コネクタ４７に各種ハーネスが接続され、コネクタカバー（図示省略）等が装着された後、集球ケース２２の背面側の主基板ケース装着部３１に着脱自在に装着される。
【００５９】
検査等のために主基板ケース２４を正規に開封する場合には、まず主基板ケース２４を主基板ケース装着部３１から取り外し、各種ハーネスをコネクタ４７から取り外した後、主基板ケース２４から保護カバー４５を取り外す。保護カバー４５を取り外す際には、図１６に示すように、固定ねじ１７９をねじ止め基部７７から抜き取り、また溶着固定座１６３の周囲の低強度部１７１をニッパー等の工具を用いて損壊することにより溶着固定座１６３を保護カバー４５から切り離し、更に圧入係合手段１６５を支持している低強度部１７５ａを損壊することにより圧入係合手段１６５を保護カバー４５から切り離す。これにより、保護カバー４５と主基板ケース２４との結合が解除されるため、保護カバー４５を主基板ケース２４から取り外すことができるが、低強度部１７１，１７５ａが損壊し、溶着固定座１６３が主基板ケース２４側に残って圧入係合手段１６５が除去された状態が、その痕跡として明確に残される。
【００６０】
保護カバー４５を取り外した後は、例えば第２ケース体４２の台板６７と第１ケース体４１の側壁８２との境界部分をこじ開けて強引に隙間を作り、封止部材１０２の被結合部１０１への係合を解除することにより、痕跡を残さない形で主基板ケース２４を開封できる可能性を否定できないが、たとえそのような不正行為が可能であったとしても、保護カバー４５を取り外した痕跡を見ればそのような不正行為を容易に発見することが可能である。
【００６１】
保護カバー４５を取り外した後に主基板ケース２４を開封する際には、封止状態となっている封止手段４３の第１，第２損壊部１３１，１３２をニッパー等の工具を用いて切断し、図１７（ａ）に示すように、開封障害部１０３を第２ケース体４２から切り離して除去する。これにより、起立板開口部１１１ｂ及び底板開口部１１１ｃが開放され、第２ケース体４２を第１ケース体４１に対してアンロック状態側に相対的にスライドさせる際に封止部材１０２に規制される部分がなくなるため（図２１（ｂ））、主基板ケース２４を開封することができる。
【００６２】
一度開封された主基板ケース２４は、その後に新しい主基板ケース２４と交換されるが、それまでの期間については、その開封済みの主基板ケース２４が、２つ目の封止手段４３を用いて封止された状態で継続して使用される場合がある。この場合、一度取り外された保護カバー４５は、圧入係合手段１６５や熱溶着による固定はできないが、固定ねじ１７９を用いてその主基板ケース２４に再び装着しておくことができる。
【００６３】
以上説明したように、本実施形態のパチンコ機では、主基板ケース２４のスライド方向の端部に装着され且つ第１ケース体４１と第２ケース体４２との境界部を外側から覆う保護カバー４５を備えているため、その境界部をこじ開けて強引に隙間を形成し、内側の封止手段４３を痕跡が残らないように取り外して開封するような不正行為を効果的に防止できる。また、保護カバー４５は、第１ケース体４１と第２ケース体４２との境界部を覆う隙間カバー部１６２と、封止手段４３を覆う封止カバー部１６１とを一体に備えているため、例えば封止手段４３の周辺に存在する隙間等を利用した不正行為についても同時に防止できる。
【００６４】
更に保護カバー４５は、固定を解除したことが痕跡として残る第１固定手段として、保護カバー４５側に低強度部１７５ａを介して一体に設けられ且つ主基板ケース２４側の被係合部に対して外部からの解除操作が不可能な状態で係合する圧入係合手段１６５を備えた係合固定手段と、保護カバー４５側に一体に設けられた溶着固定座１６３及び主基板ケース２４側に一体に設けられ且つ溶着固定座１６３に対して溶着固定されるカシメピン７６を備えた溶着固定手段とを備えているため、仮に主基板ケース２４が不正に開封されたとしても保護カバー４５にその痕跡が残り、不正行為があったことを容易に発見できる。
【００６５】
また、保護カバー４５は、固定を解除したことが痕跡として残る第１固定手段の他に、固定を解除したことが痕跡として残らない第２固定手段として、固定ねじ１７９によるねじ止め固定手段を備えているため、例えば一度開封された主基板ケース２４を交換するまでの期間、保護カバー４５を主基板ケース２４に再び装着しておくことが可能である。
【００６６】
図１８及び図１９は本発明の第２の実施形態を例示し、連結部材４４と保護カバー４５とを共通の固定手段を用いて主基板ケース２４に固定するように構成した例を示している。図１８に示すように、本実施形態の保護カバー４５は、第２ケース体４２の封止側上壁５１ｂに沿って封止手段４３の封止部材１０２を略覆う封止カバー部１６１と、主基板ケース２４における封止手段４３側のスライド方向端面に沿って第１ケース体４１と第２ケース体４２との境界部を覆う隙間カバー部１６２と、封止カバー部１６１上に一体に設けられ且つ主基板ケース２４側の連結固定ベース部７２上のカシメピン７５に対応する溶着固定座１６３とを備えている。
【００６７】
また、封止カバー部１６１は、第２ケース体４２の台板６７の外面に対して略平行に設けられ且つ連結部材４４の第２固定部１４２の外側から台板開口部１１１ａ及びその内側の封止部材１０２を覆う台板カバー板１６６と、第２ケース体４２側の開封障害部１０３と共に第１，第２損壊部１３１，１３２を覆う損壊部カバー板１８１とを備えている。
【００６８】
台板カバー板１６６には、溶着固定座１６３が一体に設けられると共に、連結部材４４側の操作孔１５４に対応する操作孔１８２が形成されている。溶着固定座１６３は、主基板ケース２４側のカシメピン７５と共に溶着固定手段（固定を解除したことが痕跡として残る第１固定手段の一例）を構成するもので、例えば略円形に形成されており、その中心部にカシメピン７５用のピン挿通孔１６３ｂが形成されている。
【００６９】
損壊部カバー板１８１は、第２ケース体４２の起立板６８及び底板６６に沿って起立板開口部１１１ｂ及び底板開口部１１１ｃを外側から閉鎖する断面略Ｌ型に形成され、台板カバー板１６６に一体に設けられている。台板カバー板１６６と損壊部カバー板１８１との連結部分は、例えば間隔を空けて形成された複数の穴１８３ａにより容易に損壊可能なカバー損壊部１８３を構成している。
【００７０】
また、隙間カバー部１６２は、台板カバー板１６６の開口５６側縁部から第２ケース体４２の台板６７の縁部及び第１ケース体４１の側壁８２の外面側に沿って前向きに延設されており、連結固定ベース部９４が嵌合する膨出部１７７が外向きに設けられると共に、例えば第１ケース体４１側の側壁８２に突設された突起１８４に対応する嵌合穴１８５が設けられている。
【００７１】
この本実施形態の保護カバー４５は、第１の実施形態の保護カバー４５とは異なり、主基板ケース２４を組み立てる前に、連結部材４４の第２固定部１４２と共に第２ケース体４２に装着され、カシメピン７５の熱溶着により第２固定部１４２と共に離脱不能に固定される（図１８）。主基板ケース２４の組み立て及び封止は、このように第２ケース体４２に保護カバー４５が固定された状態で、第１の実施形態と同様の手順で行われる。主基板ケース２４が組み立てられた状態では、図１９に示すように、第２ケース体４２の台板６７と第１ケース体４１の側壁８２との境界部が保護カバー４５の隙間カバー部１６２により外側から覆われると共に、第１ケース体４１側の突起１８４が隙間カバー部１６２の嵌合穴１８５に嵌合するため、例えば第２ケース体４２の台板６７と第１ケース体４１の側壁８２との境界部分をこじ開けて強引に隙間を作り、封止部材１０２の被結合部１０１への係合を解除する不正行為を効果的に防止できる。
【００７２】
主基板ケース２４の封止を解除する場合には、まず封止状態となっている封止手段４３に対応するカバー損壊部１８３をニッパー等の工具を用いて切断し、保護カバー４５から損壊部カバー板１８１を除去して開封障害部１０３及び第１，第２損壊部１３１，１３２を露出させる。そして、第１の実施形態と同様に、第１，第２損壊部１３１，１３２をニッパー等の工具を用いて切断し、開封障害部１０３を第２ケース体４２から切り離して除去すれば、起立板開口部１１１ｂ及び底板開口部１１１ｃが開放され、第２ケース体４２を第１ケース体４１に対してアンロック状態側に相対的にスライドさせる際に封止部材１０２に規制される部分がなくなるため、主基板ケース２４を開封することができる。
【００７３】
以上、本発明の実施形態について詳述したが、本発明はこれらの実施形態に限定されるものではなく、本発明の趣旨を逸脱しない範囲で種々の変更が可能である。例えば、保護カバー４５は第１ケース体４１と第２ケース体４２との何れに固定してもよく、またそれらの両方に固定してもよい。また、保護カバー４５を第１ケース体４１と第２ケース体４２との何れか一方に固定する場合には、第１の実施形態のように基板ケース２４の封止後にその封止部分を完全に覆うように装着してもよいし、第２の実施形態のように基板ケース２４を封止する前に装着し、その装着後に基板ケース２４の封止操作が可能なように構成してもよい。
【００７４】
固定を解除したことが痕跡として残る第１固定手段は、熱カシメ等の溶着固定手段や圧入等の係合固定手段以外に例えばリベット等を用いてもよい。また、固定を解除したことが痕跡として残らない第２固定手段は、保護カバー４５を基板ケース２４に仮止めできるものであればどのようなものでもよい。
【００７５】
封止手段４３は、ロック状態からアンロック状態へのスライドを阻止することにより基板ケース２４を閉状態で封止するものであればどのような方式を採用してもよい。例えば、複数の封止手段４３のうち、１回目に使用する封止手段については、通常は遊技機の組み立て時に封止作業が行われるため、第１，第２ケース体４１，４２とは別体の封止ピンを熱カシメ等の復元不可能な方法により第１ケース体４１等に固定するように構成してもよい。これにより、痕跡を残すことなく不正に基板ケースを開封する行為を確実に防止できる。但しこの場合でも、２回目に使用する封止手段については、遊技ホール等で封止作業を行うことが多いため、実施形態で示したような、特殊な設備等を使用することなく簡単に封止作業を行うことができる構成とすることが望ましい。
【００７６】
また、実施形態では本発明をパチンコ機に適用した例を示したが、アレンジボール機、スロットマシン等の各種遊技機において同様に実施可能であることは言うまでもない。
【符号の説明】
【００７７】
２３    主制御基板（基板）
２４    主基板ケース（基板ケース）
４１    第１ケース体
４２    第２ケース体
４３    封止手段
４４    連結部材
４５    保護カバー
７５    カシメピン
７６    カシメピン
１４１    第１固定部
１４２    第２固定部
１６１    封止カバー部
１６２    隙間カバー部
１６３    溶着固定座
１６５    圧入係合手段（係合手段）
１７１    低強度部
１７５ａ  低強度部
１７９    固定ねじ
【図１】
2011147600.tif 000003
【図２】
2011147600.tif 000004
【図３】
2011147600.tif 000005
【図４】
2011147600.tif 000006
【図５】
2011147600.tif 000007
【図６】
2011147600.tif 000008
【図７】
2011147600.tif 000009
【図８】
2011147600.tif 000010
【図９】
2011147600.tif 000011
【図１０】
2011147600.tif 000012
【図１１】
2011147600.tif 000013
【図１２】
2011147600.tif 000014
【図１３】
2011147600.tif 000015
【図１４】
2011147600.tif 000016
【図１５】
2011147600.tif 000017
【図１６】
2011147600.tif 000018
【図１７】
2011147600.tif 000019
【図１８】
2011147600.tif 000020
【図１９】
2011147600.tif 000021